(57)【要約】 【課題】輸送管路の乾燥のための空気の取り入れにより真空ポンプに水分が侵入し、弁などの部位に対して悪影響を及ぼすことを未然に防止することができる空気調和機を提供する。【解決手段】ガス富化ユニットと、富化ガスを送出するポンプと、ガス成分を吐出する吐出口を有してガス富化を行なうことができる空気調和機で、ガス富化ユニットとポンプとの間の流路に空気バイバス二方弁８を備え、この空気バイパス二方弁の空気取入口１８には空気透過膜ユニット１７を具備した。【選択図】図２
2005265372.tif 000002
【特許請求の範囲】
【請求項１】
所定のガス成分の濃度を高める機能を有するガス富化ユニットと、前記ガス成分を送出するポンプと、前記ガス成分を吐出する吐出口と、前記ガス富化ユニットと前記ポンプとの間の流路に空気バイバス二方弁を備えた空気調和機において、前記空気バイパス二方弁の空気取入口には空気透過膜ユニットを具備したことを特徴とする空気調和機。
【請求項２】
空気透過膜ユニットは、前記空気バイパス二方弁の空気取入口に対して着脱可能に装備したことを特徴とする請求項１記載の空気調和機。
【発明の詳細な説明】
【技術分野】
【０００１】
本発明は、所定のガス成分の濃度を高める機能を有するガス富化機能を備えた空気調和機に関するものである。
【背景技術】
【０００２】
従来、選択性ガス富化膜等を用いてする酸素富化装置や窒素富化装置など特定のガス濃度を相対的に向上させる装置については医療用の酸素富化装置、空気調和機、空気清浄機などの機器について種々の発明がなされている。
【０００３】
例えば酸素濃度を向上させるものとして、分離型空気調和機の室外機に酸素富化手段を設け、その酸素が富化された空気を送出配管を介して室内機に送り、室内側に放出して被空調空間である室内の酸素濃度を向上させて、居住者の快適性の用に供するという発明が開示されている（特許文献１など）。
【０００４】
一方、上記発明で課題として取り上げられているように、選択性ガス透過膜のひとつである酸素富化膜を用いてする酸素富化操作では、酸素富化膜は空気成分の大半を占める窒素と分離させ選択的に酸素を透過させるものの、現在実用化されている酸素富化膜は酸素と同時に少なくとも空気中の水分も透過させる特徴を持っている。
【０００５】
即ち、酸素富化膜の１次側の空気に対して、膜を透過した２次側では窒素が分離された分だけ相対的に湿度が高くなり露点が１次側の空気に比べて上昇するため、膜の２次側配管中でしばしば結露水を発生させてしまうことが知られている。
【０００６】
上記結露水が空気調和機の室内機で放散されて、室内を濡らしたり、ユーザに降りかかって不快感を与えたりしないように上記発明では室内機において、酸素富化空気の輸送管路に酸素富化空気を冷却して含有水分を結露させる熱交換器とその後流側に水分離器を介装して、水分が室内に飛散するのを未然に防止している。
【０００７】
このように選択性ガス透過膜や、ＰＳＡ法など吸着材をなどを用いてするガス富化操作では酸素に限らず、分離装置の２次側では必然的に相対湿度が上がり、即ち空気の露点が上昇するために結露を発生しやすくなる傾向がある。
【０００８】
上記課題を解決する方法としては、乾いた空気を輸送管路に送通して乾燥させるか、高流速で空気を流して結露水を排出するようにすればよい。
【０００９】
これについて図３および図４を用いて説明する。図３および図４は、圧縮機２で圧縮したガスを熱交換する熱交換器３を搭載し、熱交換器３の放熱を助けるファン４を有した空気調和機の室外ユニット１に、所定のガス成分の濃度を高める機能を有するガス富化ユニット６とガス成分を送り出すポンプ７との間に、空気をバイパスする空気バイパス二方弁８を配置し、ガス富化ユニット６と空気バイパス二方弁８をチュ−ブ９で接続し、空気バイパス二方弁８とポンプ７とをチュ−ブ１０で接続している。ガス成分を室内へ送るチュ−ブ１１とガス成分を吐出する吐出口１２で構成されており、圧縮機室１３と送風機室１４とを仕切る遮蔽板１５に、空気バイパスする機能を有する空気バイパス二方弁８を取付けている。
【００１０】
ガス成分を送り出すポンプ７を駆動させることにより、所定のガス成分の濃度を高める機能を有するガス富化ユニット６から、所定のガス成分の濃度を高めたガスが、ガス成分
を送るチュ−ブ１１を通って、ガス成分を吐出する吐出口１２から、排出される。前記のポンプ７を駆動することにより、ガス成分を送るチュ−ブ１１内部に水分が結露するが、ポンプ７が駆動中は、チュ−ブ１１を通って吐出口１２から水分は排出される。ポンプ７を停止するとチュ−ブ１１内部に水が溜まり、外気温が氷点下になると水が凍るため、前記の水が凍るのを防止するため、ポンプ７の停止前１〜１５分間は、空気パイパス二方弁８を開けることにより、Ａ方向から、水１６を含んだ空気が、空気パイパス二方弁８の空気取入口８ａに取り付けられているストレ−ナ−８ｂから空気パイパス二方弁８およびポンプ７へとを流れる。前記、空気パイパス二方弁８を開けることにより、早い流速の水１６を含む空気が、チュ−ブ１１内部の水分を吐出口１２から、排出させる。
【特許文献１】特開平５−１１３２２７号公報
【発明の開示】
【発明が解決しようとする課題】
【００１１】
しかしながら、前記従来の空気パイパス二方弁は、空気取入口に取り付けられたストレ−ナ−を通過するときに塵埃は除去されうるが、水分を含んだ空気はそのままポンプに吸入されるので、ポンプ内部で結露するなどしたときには錆付きが発生したりして、回転不良や性能低下を引き起こす可能性があった。
【００１２】
本発明はこのような従来の課題を解決するものであり、ポンプ内部の錆付きおよび性能低下を防ぐこととした空気バイパス二方弁の空気取入口に、空気透過膜ユニットを備えたことを提供することを目的とする。
【課題を解決するための手段】
【００１３】
前記従来の課題を解決するための本発明は、圧縮機室と送風機室とを仕切る遮蔽板に取り付けられた空気バイパス二方弁の空気取入口に、空気透過膜ユニットを取り付けて、水分のポンプへの侵入を未然に防止する。この空気透過膜ユニットによって、ポンプ内部の錆付きを防げることにより、回転不良及び性能低下を防止することができる。
【発明の効果】
【００１４】
以上のように、本発明の空気透過膜ユニット装置を搭載した空気調和機において、水を遮断し空気のみを通過させる空気透過膜ユニットにより、ポンプ内部に水の侵入がなくなり、ポンプの回転不良、錆付き、傷付きなどが防止出来るため、機器の信頼性を向上させることができる。
【発明を実施するための最良の形態】
【００１５】
以下本発明の実施形態について図面を参照しながら説明する。
【００１６】
図１は、本発明の実施形態の空気調和機の斜視図である。図２は、本発明の実施形態を示す空気透過膜ユニットの拡大詳細図である。
【００１７】
空気調和機の室外ユニット１の内部に、圧縮機２で圧縮したガスを熱交換する熱交換器３を搭載し、熱交換器３の放熱を助けるファン４を配置している。ファン４はモ−タ−５によって回転する。モ−タ−５を駆動することによって、ファン４が回転し、熱交換器３を通して空気を吸い込み、前方へ排出する。
【００１８】
また、所定のガス成分の濃度を高める機能を有するガス富化ユニット６とガス成分を送り出すポンプ７との間に、空気をバイパスする空気バイパス二方弁８を配置し、ガス富化ユニット６と空気バイパス二方弁８をチュ−ブ９で接続し、空気バイパス二方弁８とポンプ７とをチュ−ブ１０で接続している。ガス成分を室内へ送るチュ−ブ１１とガス成分を吐出する吐出口１２で構成されており、圧縮機室１３と送風機室１４とを仕切る遮蔽板１
５に、空気バイパスする機能を有する空気バイパス二方弁８を取付けている。
【００１９】
水１６の侵入防止用空気透過膜ユニット１７は、空気バイパス二方弁８に取り付けられているストレ−ナ−８ｂの空気取入口８ａに、チュ−ブ１８で接続されている。
【００２０】
また、空気透過膜ユニット１７は、水１６の侵入防止用空気透過膜１７ａとケ−ス１７ｂから構成されている。
【００２１】
以上のように構成された空気調和機の室外ユニットにおいて、圧縮機１で圧縮したガスを熱交換器２で熱交換し、放熱のためにモ−タ−５を駆動してファン３を回転させる。
【００２２】
また、ガス成分を送り出すポンプ７を駆動させることにより、所定のガス成分の濃度を高める機能を有するガス富化ユニット６から、所定のガス成分の濃度を高めたガスが、ガス成分を送るチュ−ブ１１を通って、ガス成分を吐出する吐出口１２から、排出される。
【００２３】
前記のポンプ７を駆動することにより、ガス成分を送るチュ−ブ１１内部に水分が結露するが、ポンプ７が駆動中は、チュ−ブ１１を通って吐出口１２から水分は排出される。
【００２４】
ポンプ７を停止するとチュ−ブ１１内部に水が溜まり、外気温が氷点下になると水が凍るため、前記の水が凍るのを防止するため、ポンプ７の停止前１〜１５分間は、空気パイパス二方弁８を開けることにより、Ａ方向から、水１６を含んだ空気が、空気透過膜ユニット１７の空気透過膜１７ａを通ることにより、水１６を含まない空気となってチュ−ブ１８、空気パイパス二方弁８、ポンプ７およびチュ−ブ１１を流れる。前記、空気パイパス二方弁８を開けることにより、早い流速の水１６を含まない空気が、チュ−ブ１１内部の水分を吐出口１２から、排出させる。
【００２５】
よって、Ａ方向から、水１６を含んだ空気が、空気透過膜ユニット１７の空気透過膜１７ａを通ることにより、水１６を含まない空気となってポンプ７に供給されることにより、ポンプ７内部の錆付きが防げる。
【産業上の利用可能性】
【００２６】
本発明はポンプなどへの水分侵入を防止することによる信頼性向上を図ることができるので、ガス富化機能を有する家庭用・業務用空気調和機、車両用空気調和機に限らず、ポンプなどの機械部に対して大気を導入し、そこに含まれる水分が侵入した不具合を呈する動力機械などに広く利用することができる。
【図面の簡単な説明】
【００２７】
【図１】本発明の実施形態の空気調和機の斜視図
【図２】本発明の実施形態を示す空気透過膜ユニットの拡大詳細図
【図３】従来例の空気調和機の斜視図
【図４】従来例の空気バイパス二方弁の拡大詳細図
【符号の説明】
【００２８】
１    室外ユニット
２    圧縮機
３    熱交換器
４    ファン
５    モ−タ−
６    ガス富化ユニット
７    ポンプ
８    空気バイパス二方弁
８ａ  空気取入口
８ｂ  ストレ−ナ−
９    チュ−ブ
１０    チュ−ブ
１１    チュ−ブ
１２    吐出口
１３    圧縮機室
１４    送風機室
１５    遮蔽板
１６    水分
１７    空気透過膜ユニット
１７ａ  空気透過膜
１７ｂ  ケ−ス
１８    チュ−ブ
【図１】
2005265372.tif 000003
【図２】
2005265372.tif 000004
【図３】
2005265372.tif 000005
【図４】
2005265372.tif 000006